(57)【要約】【課題】吐水部の外周側に同心状に回転操作部を設けることなく吐水部からの吐水形態を切り替えることができる吐水装置を提供すること。【解決手段】本発明は、前方側に突出する先端部と、当該先端部よりも後方側に位置する吐水部と、を有するスパウトと、前記スパウト内に設けられ、前記吐水部からの吐水形態を切り替えるために昇降可能な切替弁と、前記先端部に設けられた回転操作部と、を備え、前記回転操作部を回転操作することによって、前記切替弁が昇降するようになっていることを特徴とする吐水装置である。【選択図】図４
2020051087.tif 000002
【特許請求の範囲】
【請求項１】
前方側に突出する先端部と、当該先端部よりも後方側に位置する吐水部と、を有するスパウトと、
前記スパウト内に設けられ、前記吐水部からの吐水形態を切り替えるために昇降可能な切替弁と、
前記先端部に設けられた回転操作部と、
を備え、
前記回転操作部を回転操作することによって、前記切替弁が昇降するようになっている
ことを特徴とする吐水装置。
【請求項２】
前記回転操作部の回転動作を前記切替弁の昇降動作に変換するカム機構
を更に備えたことを特徴とする請求項１に記載の吐水装置。
【請求項３】
前記吐水部は、前記切替弁の昇降位置に応じて、シャワー吐水形態と棒状吐水形態との間で切り替えられるようになっている
ことを特徴とする請求項１または２に記載の吐水装置。
【請求項４】
前記シャワー吐水形態においては、前記吐水部のシャワーヘッド部から吐水がなされ、
前記棒状吐水形態においては、前記シャワーヘッド部からの吐水と、当該シャワーヘッド部の吐水面上の領域の外周側に隣接して設けられた環状路から当該領域への内方向きの吐水と、が合流される
ことを特徴とする請求項３に記載の吐水装置。
【請求項５】
前記棒状吐水形態において、前記シャワーヘッド部からの吐水量より、前記環状路からの吐水量の方が多い
ことを特徴とする請求項４に記載の吐水装置。
【請求項６】
前記シャワーヘッド部は、筒状であって、内部に散水用流路を有しており、
前記シャワーヘッド部の外周面上に、整流部が設けられており、
前記環状路は、前記整流部の下方側に位置している
ことを特徴とする請求項４または５に記載の吐水装置。
【請求項７】
前記環状路は、前記整流部からの水流を前記シャワーヘッド部の吐水面上の領域に向けて案内する案内部によって規定されている
ことを特徴とする請求項６に記載の吐水装置。
【請求項８】
前記回転操作部は、前記スパウトの前記先端部に対して回転可能に支持され、前記回転操作部と前記スパウトの前記先端部との間に、樹脂部材を有している
ことを特徴とする請求項１乃至７のいずれかに記載の吐水装置。
【請求項９】
前記スパウトの前記先端部には、前記樹脂部材を回転可能に支持するチャック部材が設けられており、
前記チャック部材は、前記スパウトの外殻部材内に、Ｏリングを介して固定されている
ことを特徴とする請求項８に記載の吐水装置。
【請求項１０】
前記スパウトの通水本体は、前記外殻部材の係合孔に対して、２方向の弾性変形を順次に付与することで係合解除するスナップフィット部材を有している
ことを特徴とする請求項９に記載の吐水装置。
【請求項１１】
前記樹脂部材には、筒状部が接続されており、
前記筒状部の外周面が、前記チャック部材によって摺動可能に包囲されており、
前記筒状部の内周面には、前記回転操作部の回転操作によって前記スパウトに固定されたバネ部材と順次に係合可能な複数の係合凹部が設けられている
ことを特徴とする請求項８乃至１０のいずれかに記載の吐水装置。
【発明の詳細な説明】
【技術分野】
【０００１】
本発明は、吐水装置に関し、特には、シャワー吐水形態と棒状吐水形態との切り替え機能を有する吐水装置に関する。
【背景技術】
【０００２】
従来より、シャワー吐水形態と棒状吐水形態（１本吐水形態とも称される）との切り替え機能を有する吐水装置が知られている。特許文献１に記載された吐水装置では、吐水口の外周側に当該吐水口に同心状に設けられた回転操作部を回転することで、シャワー吐水形態と棒状吐水形態とが切り替えられるようになっている。
【先行技術文献】
【特許文献】
【０００３】
【特許文献１】特許第３７２９１９８号公報
【発明の概要】
【発明が解決しようとする課題】
【０００４】
しかしながら、吐水口の外周側に同心状に回転操作部を設ける構成では、外周側を摘んで操作するために、必ず一定量以上突出される必要があり、吐水口付近が大型化（大径化）して、デザイン性が低下してしまう（選択できるデザインが限られてしまう）という問題があった。
【０００５】
本発明は、以上のような背景の下で創案されたものである。本発明の目的は、吐水部を含めたスパウトのデザイン性を保ちながら吐水部からの吐水形態を切り替えることができる吐水装置を提供することである。
【課題を解決するための手段】
【０００６】
本発明は、前方側に突出する先端部と、当該先端部よりも後方側に位置する吐水部と、を有するスパウトと、前記スパウト内に設けられ、前記吐水部からの吐水形態を切り替えるために昇降可能な切替弁と、前記先端部に設けられた回転操作部と、を備え、前記回転操作部を回転操作することによって、前記切替弁が昇降するようになっていることを特徴とする吐水装置である。
【０００７】
本発明によれば、スパウトの先端部に設けられた回転操作部を用いて吐水部からの吐水形態が切り替えられるため、吐水部付近が大型化（大径化）することが抑制され、デザイン性の低下が抑制される。また、スパウト内の吐水部の上方領域はデッドスペースとなりやすい（有効活用例が少ない）が、上下方向に昇降可能な切替弁を用いることによって当該上方領域を有効活用したレイアウトの採用が可能となり、吐水部の突出量を不所望に増大させる必要もない。
【０００８】
回転操作部の回転動作は、例えばカム機構を介して、切替弁の昇降動作に変換される。カム機構の一例においては、例えば、回転操作部の回転動作がスピンドルの回転となり、当該スピンドルの外周面に所定のカム凹部が形成されており、切替弁にはスピンドルが貫通する貫通孔が設けられていて、当該貫通孔の一部にカム凹部と当接する当接部が設けられていて、回転操作部の回転動作に伴ってカム凹部が当接部を昇降移動させるようになっている。
【０００９】
このような形態によれば、スパウト内の吐水部の上方領域を有効活用したレイアウトの採用が可能である。
【００１０】
吐水部は、前記切替弁の昇降位置に応じて、シャワー吐水形態と棒状吐水形態との間で切り替えられるようになっていることが好ましい。例えば、前記シャワー吐水形態においては、前記吐水部のシャワーヘッド部から吐水がなされ得て、前記棒状吐水形態においては、前記シャワーヘッド部からの吐水と、当該シャワーヘッド部の吐水面上の領域の外周側に隣接して設けられた環状路から当該領域への内方向きの吐水と、が合流され得る。
【００１１】
また、このような棒状吐水形態の場合、本件発明者の知見によれば、シャワーヘッド部からの吐水量よりも環状路からの吐水量の方を多くすることで、棒状吐水（１本吐水）の整流度を高めることができる。
【００１２】
具体的な構成例として、前記シャワーヘッド部は、筒状であって、内部に散水用流路を有しており、前記シャワーヘッド部の外周面上に、整流部が設けられており、前記環状路は、前記整流部の下方側に位置していることが好ましい。
【００１３】
このような構成によれば、吐水部付近を大型化（大径化）させることなく、シャワーヘッド部を通る吐水用の流路と環状路を通る吐水用の流路とをコンパクトに形成することができる。また、シャワーヘッド部の外周面上の整流部の下方側に環状路を位置させることにより、シャワーヘッド部を通る吐水用の流路よりも環状路を通る吐水用の流路の方が長くなる。このことによって、本件発明者の知見によれば、環状路を通る吐水の整流度の方がより高くなり、合流後の棒状吐水の整流度も改善される。
【００１４】
例えば、前記環状路は、前記整流部からの水流を前記シャワーヘッド部の吐水面上の領域に向けて案内する案内部によって規定され得る。水流の方向は、６０度以上、特には９０度（鉛直下向きから水平内方向き）、変更されることが好ましい。
【００１５】
また、前記回転操作部は、前記スパウトの前記先端部に対して回転可能に支持され、前記回転操作部と前記スパウトの前記先端部との間に、樹脂部材を有していることが好ましい。
【００１６】
これによれば、樹脂部材によって円滑な回転動作を実現することができる。一方で、回転操作部の外殻部材について、金属メッキ等を採用した場合でも、そのような金属メッキ部材同士が接触、摺動することなく、回転操作部の回転操作中に剥がれることが防止される。
【００１７】
また、前記スパウトの前記先端部には、前記樹脂部材を回転可能に支持するチャック部材が設けられており、前記チャック部材は、前記スパウトの外殻部材内に、Ｏリングを介して固定されていることが好ましい。
【００１８】
これによれば、スパウトの先端部と回転操作部との間にガタツキが生じることを効果的に防止することができる。
【００１９】
また、前記スパウトの通水本体は、前記外殻部材の係合孔に対して、２方向の弾性変形を順次に付与することで係合解除するスナップフィット部材を有していることが好ましい。
【００２０】
これによれば、スパウトの外殻部材がスパウトの通水本体から不所望に抜け外れてしまうことを効果的に防止することができる。
【００２１】
また、前記樹脂部材には、筒状部が接続されており、前記筒状部の外周面が、前記チャック部材によって摺動可能に包囲されており、前記筒状部の内周面には、前記回転操作部の回転操作によって前記スパウトに固定されたバネ部材と順次に係合可能な複数の係合凹部が設けられていることが好ましい。
【００２２】
これによれば、バネ部材が各係合凹部と順次に係合することで、回転操作部の回転操作を行うユーザに「クリック感」を提供することができ、すなわち、操作性が向上する。更に、バネ部材の弾性力（弾発力）は筒状部によって吸収されるため、チャック部材やスパウトの外殻部材に変形等が生じる懸念もない。
【００２３】
例えば、バネ部材は、切妻屋根状に屈曲された板バネであり、その屈曲部が各係合凹部内に順次に係合（嵌合）するようになっている。
【発明の効果】
【００２４】
本発明によれば、スパウトの先端部に設けられた回転操作部を用いて吐水部からの吐水形態が切り替えられるため、吐水部付近が大型化（大径化）することが抑制され、デザイン性の低下が抑制される。また、スパウト内の吐水部の上方領域はデッドスペースとなりやすい（有効活用例が少ない）が、上下方向に昇降可能な切替弁を用いることによって当該上方領域を有効活用したレイアウトの採用が可能となり、吐水部の突出量を不所望に増大させる必要もない。
【図面の簡単な説明】
【００２５】
【図１】本発明の一実施形態による吐水装置の概略斜視図である。
【図２】本実施形態の吐水装置の上方から見た分解斜視図である。
【図３】本実施形態の吐水装置の下方から見た分解斜視図である。
【図４】本実施形態の吐水装置のシャワー吐水形態時の正面図である。
【図５】本実施形態の吐水装置のシャワー吐水形態時の縦断面図（図４のＶ−Ｖ線断面図）である。
【図６】図５のＶＩ−ＶＩ線断面図である。
【図７】本実施形態の吐水装置の棒状吐水形態時の正面図である。
【図８】本実施形態の吐水装置の棒状吐水形態時の縦断面図（図７のＶＩＩＩ−ＶＩＩＩ線断面図）である。
【図９】図８のＩＸ−ＩＸ線断面図である。
【図１０】図９のＸ部の拡大図である。
【図１１】本実施形態の吐水装置の底面図である。
【図１２】図１１のＸＩＩ−ＸＩＩ線断面図である。
【発明を実施するための形態】
【００２６】
次に、添付図面を参照して、本発明の一実施形態による吐水装置について説明する。本実施形態の吐水装置１は、シャワー吐水形態と棒状吐水形態とを切り替えることができる吐水装置である。
【００２７】
図１は、本発明の一実施形態による吐水装置１の概略斜視図である。図１に示すように、本実施形態の吐水装置１は、支柱部２と、スパウト３と、シングルレバー４と、を備えており、シングルレバー４の操作によって、吐水量（止水状態を含む）と吐水温度とを選択調整できるようになっている。
【００２８】
スパウト３は、前方側（図１では左側）に突出する先端部３ａと、先端部３ａよりも後方側（図１では右側）に位置する吐水部３ｂと、を有している。先端部３ａには、回転操作部１０が設けられている。
【００２９】
図２は、本実施形態の吐水装置１の上方から見た分解斜視図であり、図３は、本実施形態の吐水装置１の下方から見た分解斜視図であり、図４は、本実施形態の吐水装置１のシャワー吐水形態時の正面図であり、図５は、本実施形態の吐水装置のシャワー吐水形態時の縦断面図（図４のＶ−Ｖ線断面図）である。
【００３０】
図２乃至図５に示すように、スパウト３の先端部３ａには、チャック部材３３が設けられている。チャック部材３３は、スパウト３の外殻部材３１内に、Ｏリング３２を介して固定されている。図２及び図３に示すように、チャック部材３３は、２つの鏡像の略半円形状部分３３ａ、３３ｂからなっている。
【００３１】
回転操作部１０は、スパウト３の先端部３ａのチャック部材３３に対して回転可能に支持されて当該回転操作部１０の回転操作によって回転する樹脂部材１１を有している。より詳細には、樹脂部材１１の後方側のフランジ部１１ｆ（図３及び図５参照）が、チャック部材３３の前方側の縮径部３３ｆと互いに摺動可能に係合することによって、互いに回転可能に接続されている。樹脂部材１１は、例えばポリアセタール樹脂（ＰＯＭ）から製造されている。
【００３２】
樹脂部材１１には、当該樹脂部材１１と共に回転するように、筒状部１２が接続されている。より詳細には、樹脂部材１１の爪部１１ａ（図３参照）と筒状部１２の爪受容部１２ａとが、回転方向に接続されている。筒状部１２も、例えばポリアセタール樹脂（ＰＯＭ）から製造されている。
【００３３】
筒状部１２の外周面は、略円筒状であり、チャック部材３３によって摺動可能に包囲されている。また、筒状部１２の内周面には、スパウト３に固定された板バネ３５と順次に係合可能な３箇所の係合凹部１２ｒが設けられている。
【００３４】
図６は、図５のＶＩ−ＶＩ線断面図である。図２及び図６に示すように、板バネ３５は、スパウト３の通水本体３４の前方端面上に設けられた２つの回転摺動ガイド突起３４ｇのうちの一方と３つの板バネ保持突起３４ｐとによって保持されている。２つの回転摺動ガイド突起３４ｇは、樹脂部材１１の回転摺動ガイド溝１１ｇ内を摺動するようになっている（図３及び後述する図９参照）。回転摺動ガイド突起３４ｇ及び板バネ保持突起３４ｐを含む通水本体３４も、例えばポリアセタール樹脂（ＰＯＭ）から製造されている。
【００３５】
一方、図２乃至図５に示すように、樹脂部材１１には、回転操作部１０の外殻部材１３が固定されている。当該外殻部材１３には、美観向上のため、例えば金属メッキ等が施され得る。
【００３６】
また、樹脂部材１１には、当該樹脂部材１１と共に回転するように、スピンドル１４が固定されている。スピンドル１４の後方のフランジ部１４ｆが、スパウト３の通水本体３４によって回転可能に支持され、また、スピンドル１４の中間位置付近の縮径部１４ａが、水密摺動用のＯリング１５を介して、やはりスパウト３の通水本体３４によって回転可能に支持されている。そして、スピンドル１４の外周面に、所定のカム凹部１４ｒが形成されている。
【００３７】
スピンドル１４のフランジ部１４ｆとＯリング１５（縮径部１４ａ）との間の領域は、一次側流路２２となっている。また、フランジ部１４ｆに設けられた切欠１４ｃが、通水本体３４の後方側の流路２１と一次側流路２２とを連通させている。そして、一次側流路２２内において、昇降可能な切替弁４０が設けられている。
【００３８】
切替弁４０には、スピンドル１４が貫通する貫通孔４１が設けられていて、当該貫通孔４１の一部にカム凹部１４ｒと当接する当接部４１ｃが設けられている。これにより、回転操作部１０の回転動作に伴って、カム凹部１４ｒが当接部４１ｃを昇降移動させるようになっている。
【００３９】
また、スピンドル１４のカム凹部１４ｒの下方側においては、略二重筒状のシャワー流路形成部材５１が通水本体３４に固定されている。シャワー流路形成部材５１の内側筒部５１ａが、切替弁４０の下方側の筒部４２の鉛直移動を案内するようになっており、内側筒部５１ａと外側筒部５１ｂとの間にコイルバネ４７が収容されている。コイルバネ４７の上方端は、切替弁４０の筒部２０と当接部４１ｃとの間に設けられたフランジ部４３を上向きに付勢しており、これによって、当接部４１ｃがカム凹部１４ｒと常に当接する（当接部４１ｃがカム凹部１４ｒによって規定される位置に直ちに移動する）ようになっている。
【００４０】
また、シャワー流路形成部材５１の外側筒部５１ｂには、欠損部５１ｃが設けられていて、当該欠損部５１ｃが外側筒部５１ｂの内方空間（一次側流路２２）と下方空間とを連通するシャワー流路を形成している。当該欠損部５１ｃを介しての通水量は、切替弁４０の昇降移動に伴うフランジ部４３の昇降移動によって変化するようになっている。図７は、本実施形態の吐水装置の棒状吐水形態時の正面図であり、図８は、本実施形態の吐水装置の棒状吐水形態時の縦断面図である。図５に示すように、シャワー吐水形態時においては、フランジ部４３とシャワー流路形成部材５１との間の隙間が相対的に大きいため、前記通水量は相対的に多く、図８に示すように、棒状吐水形態時においては、フランジ部４３とシャワー流路形成部材５１との間の隙間が相対的に小さいため、前記通水量は相対的に少ない。図５及び図８に示すように、本実施形態の外側筒部５１ｂの上端面は、内側に凹んだ切頭円錐面状となっている。
【００４１】
図２、図３及び図５に戻って、シャワー流路形成部材５１には、筒状のシャワーヘッド部５２が接続されている。シャワーヘッド部５２は、内部に散水用流路５２ａが形成されている。本実施形態の散水用流路５２ａは、散水板の形態で提供されている。また、シャワーヘッド部５２の外周面上には、整流作用を有する整流通路５２ｂ（整流部）が形成されている。
【００４２】
切替弁４０の弁体４５は、貫通孔４１の上方に設けられており、水密用のＯリング４５ａを有している。通水本体３４には、当該弁体４５によって開閉される開口３４ａが設けれており（図８参照）、当該開口３４ａの内側が前述した一次側流路２２となっており、当該開口３４ａの外側が二次側流路２３となっている。二次側流路２３の上方側は、カバー部材３６及びＯリング３７によって水密に覆われている。図９は、図８のＩＸ−ＩＸ線断面図である。二次側流路２３は、図５、図８及び図９に示すように、一次側流路２２の側方を通って、シャワーヘッド部５２の外周面上の整流通路５２ｂに至っている。
【００４３】
図２、図３及び図５に戻って、筒状のシャワーヘッド部５２の更に外側に、筒状の水流案内部５３が固定されている。水流案内部５３は、整流通路５２ｂからの水流をシャワーヘッド部５２の吐水面上の領域２４に向けて案内するようになっており、整流通路５２ｂの下方側に環状路５３ａを規定している。当該環状路５３ａは、シャワーヘッド部５２の吐水面上の領域２４の外周側に隣接している。
【００４４】
以上の構成により、図８に示す棒状吐水形態時においては、シャワーヘッド部５２から当該シャワーヘッド部５２の吐水面上の領域２４への吐水と、当該シャワーヘッド部の吐水面上の領域２４の外周側に隣接して設けられた環状路５３ａから当該領域２４への内方向きの吐水と、が合流されて、吐水部３ｂから吐水されるようになっている。
【００４５】
図２、図３及び図５に戻って、筒状の水流案内部５３の更に外側に、筒状の外殻部材５４が固定されている。当該外殻部材５４には、美観向上のため、例えば金属メッキ等が施され得る。
【００４６】
スパウト３の外殻部材３１も、美観向上のため、例えば金属メッキ等が施され得る。ここで、図１０は、図９のＸ部の拡大図である。図９及び図１０に示すように、樹脂部材１１の外周縁部１１ｐが、回転操作部１０の外殻部材１３とスパウト３の外殻部材３１との間に介在している。これにより、外殻部材１３、３１同士が擦れ合って、メッキ剥がれ等が生じることが防止されている。
【００４７】
また、図１１は、本実施形態の吐水装置１の底面図であり、図１２は、図１１のＸＩＩ−ＸＩＩ線断面図である。図１１及び図１２に示すように、スパウト３の通水本体３４は、スパウト３の外殻部材３１の係合孔３１ｈに対して、Ａ方向に圧縮する弾性変形を付与した後でＢ方向に圧縮する（押し込める）弾性変形を付与することで係合解除するスナップフィット部材３４ｓを有している。
【００４８】
次に、本実施形態による吐水装置１の作用について説明する。
【００４９】
シャワー吐水形態において、回転操作部１０は、図４及び図５に示された回転位置にあり、コイルバネ４７が切替弁４０のフランジ部４３を上向きに付勢しているため、切替弁４０の貫通孔４１の当接部４１ｃがカム凹部１４ｒに当接する位置にまで上昇している。これにより、弁体４５が開口３４ａを閉塞している。
【００５０】
シングルレバー４の操作によって吐水が開始されると、温調された水（または湯）が、通水本体３４の後方側の流路２１から、スピンドル１４の切欠１４ｃを介して、一次側流路２２に供給される。シャワー吐水形態においては、前述のように、開口３４ａが弁体４５によって閉塞されているため、一次側流路２２から二次側流路２３へは通流しない。
【００５１】
一次側流路２２に供給された水は、スピンドル１４のカム凹部１４ｒの下方において、切替弁４０のフランジ部４３とシャワー流路形成部材５１の外側筒部５１ｂとの間の隙間を介して、シャワー流路形成部材５１の外側筒部５１ｂの内方空間（コイルバネ４７が収容されている）に至る。そして更に、当該水は、欠損部５１ｃを介して、シャワー流路形成部材５１の下方空間へと流出し、シャワーヘッド部５２の散水用流路５２ａを介して、シャワー状に吐水される。
【００５２】
シャワー吐水形態から棒状吐水状態への切り替えは、回転操作部１０を回転操作することによってなされる。この時、互いに摺動する樹脂部材１１及びチャック部材３３、並びに、樹脂部材１１及び回転摺動ガイド突起３４ｇは、いずれも樹脂製（ポリアセタール樹脂（ＰＯＭ）製）であるため、回転操作が滑らかである。
【００５３】
また、図９及び図１０に示すように、樹脂部材１１の外周縁部１１ｐが回転操作部１０の外殻部材１３とスパウト３の外殻部材３１との間に介在しているため、当該外殻部材同士が擦れ合ってメッキ剥がれ等が生じることが防止されている。
【００５４】
棒状吐水形態において、回転操作部１０は、図７乃至図９に示された回転位置にあり、スピンドル１４のカム凹部１４ｒは側方側に位置している。すなわち、スピンドル１４のカム凹部１４ｒは、切替弁４０の貫通孔４１の当接部４１ｃとは当接していない。そして、コイルバネ４７による切替弁４０のフランジ部４３を上向きに付勢する力に対抗するように、スピンドル１４の周面（カム凹部１４ｒが形成されていない面）が切替弁４０の貫通孔４１の当接部４１ｃを下降させている。これにより、弁体４５は開口３４ａを開放している。
【００５５】
シングルレバー４の操作によって吐水が開始されると、温調された水（または湯）が、通水本体３４の後方側の流路２１から、スピンドル１４の切欠１４ｃを介して、一次側流路２２に供給される。棒状吐水形態においては、前述のように、開口３４ａが開放されているため、当該水は、一次側流路２２から二次側流路２３にも供給される。
【００５６】
一次側流路２２に供給された水は、シャワー吐水形態と略同様、スピンドル１４の下方において、切替弁４０のフランジ部４３とシャワー流路形成部材５１との間の隙間を介して、シャワー流路形成部材５１の外側筒部５１ｂの内方空間（コイルバネ４７が収容されている）に至る。そして更に、当該水は、欠損部５１ｃを介して、シャワー流路形成部材５１の下方空間へと流出し、シャワーヘッド部５２の散水用流路５２ａを介して、シャワー状に吐水される。但し、図５及び図８に示すように、フランジ部４３とシャワー流路形成部材５１との間の隙間がシャワー吐水形態の時よりも相対的に小さいため、シャワー状の吐水量はシャワー吐水形態の時よりも少ない。
【００５７】
二次側流路２３に供給された水は、一次側流路２２の側方を通って、シャワーヘッド部５２の外周面上の整流通路５２ｂに至る。そして、整流通路５２ｂを通過する際に整流されながら、環状路５３ａを介して、シャワーヘッド部５２の吐水面上の領域２４へと内向きに吐水される。
【００５８】
シャワーヘッド部５２の散水用流路５２ａからシャワー状に吐水される水流と、整流通路５２ｂにより整流されて環状路５３ａを介してシャワーヘッド部５２の吐水面上の領域２４へ内向きに吐水される水流とが合流されて、吐水部３ｂからの吐水は整流された棒状となる。
【００５９】
棒状吐水形態からシャワー吐水状態への切り替えも、回転操作部１０を回転操作することによってなされる。この時、互いに摺動する樹脂部材１１及びチャック部材３３、並びに、樹脂部材１１及び回転摺動ガイド突起３４ｇは、いずれも樹脂製（ポリアセタール樹脂（ＰＯＭ）製）であるため、回転操作が滑らかである。また、図９及び図１０に示すように、樹脂部材１１の外周縁部１１ｐが回転操作部１０の外殻部材１３とスパウト３の外殻部材３１との間に介在しているため、当該外殻部材同士が擦れ合ってメッキ剥がれ等が生じることが防止されている。
【００６０】
以上のように、本実施形態の吐水装置１によれば、スパウト３の先端部に設けられた回転操作部１０を用いて吐水部３ｂからの吐水形態が切り替えられるため、吐水部３ｂ付近が大型化（大径化）することが抑制され、デザイン性の低下が抑制される。また、スパウト３内の吐水部３ｂの上方領域はデッドスペースとなりやすい（有効活用例が少ない）が、上下方向に昇降可能な切替弁４０を用いることによって当該上方領域を有効活用したレイアウトの採用が可能となり、吐水部３ｂの突出量を不所望に増大させる必要もない。
【００６１】
特に、本実施形態の吐水装置１によれば、回転操作部１０の回転動作がスピンドル１４の回転となり、当該スピンドル１４の外周面に所定のカム凹部１４ｒが形成されており、切替弁４０にはスピンドル１４が貫通する貫通孔４１が設けられていて、当該貫通孔４１の一部にカム凹部１４ｒと当接する当接部４１ｃが設けられていて、回転操作部１０の回転動作に伴ってカム凹部１４ｒが当接部４１ｃを昇降移動させるようになっている。このような形態によって、スパウト３内の吐水部３ｂの上方領域を有効活用している。
【００６２】
また、本実施形態の吐水装置１によれば、切替弁４０の昇降位置に応じて、シャワー吐水形態と棒状吐水形態とが切り替えられるようになっており、シャワー吐水形態においては、吐水部３ｂのシャワーヘッド部５２から吐水がなされ、棒状吐水形態においては、シャワーヘッド部５２からの吐水と、当該シャワーヘッド部５２の吐水面上の領域２４の外周側に隣接して設けられた環状路５３ａから当該領域２４への内方向きの吐水と、が合流されるようになっている。これにより、一般的なシャワー吐水形態と、棒状に整流された棒状吐水形態と、を容易に切り替えることができる。
【００６３】
ここで、本件発明者の知見によれば、シャワーヘッド部５２からの吐水量よりも環状路５３ａからの吐水量の方を多くすることで、棒状吐水（１本吐水）の整流度を高めることができる。
【００６４】
また、本実施形態の吐水装置１によれば、シャワーヘッド部５２は、筒状であって、内部に散水用流路５２ａを有しており、シャワーヘッド部５２の外周面上に、整流部としての整流通路５２ｂが設けられており、環状路５３ａは、整流通路５２ｂの下方側に位置している。このような構成によって、吐水部３ｂ付近を大型化（大径化）させることなく、シャワーヘッド部５２を通る吐水用の流路と環状路５３ａを通る吐水用の流路とをコンパクトに形成することができる。また、シャワーヘッド部５２の外周面上の整流通路５２ｂの下方側に環状路５３ａを位置させることにより、シャワーヘッド部５２を通る吐水用の流路よりも環状路５３ａを通る吐水用の流路の方が長くなる。このことによっても、環状路５３ａを通る吐水の整流度の方がより高くなり、合流後の棒状吐水の整流度が改善される。なお、整流通路５２ｂにメッシュ部材等の整流部材が付加されてもよいし、あるいは、整流通路５２ｂがメッシュ部材等の整流部材によって置換されてもよい。
【００６５】
また、本実施形態の吐水装置１によれば、環状路５３ａは、整流通路５２ｂからの水流をシャワーヘッド部５２の吐水面上の領域２４に向けて案内する水流案内部５３によって規定されている。これにより、環状路５３ａを容易に設計することができる。
【００６６】
ここで、本件発明者の知見によれば、水流案内部５３によって変更される水流の方向の角度は、６０度以上、特には９０度（鉛直下向きから水平内方向き）、であることが好ましい。
【００６７】
また、本実施形態の吐水装置１によれば、回転操作部１０は、スパウト３の先端部に対して回転可能に支持され、スパウト３の先端部との間に、回転操作部１０の回転操作によって回転する樹脂部材１１を有している。これにより、樹脂部材１１によって円滑な回転動作を実現することができる一方で、回転操作部１０の外殻部材１３について金属メッキ等を採用した場合でも、そのような金属メッキ等同士が接触、摺動することなく、回転操作部１０の回転操作中に剥がれることが防止される。
【００６８】
また、本実施形態の吐水装置１によれば、スパウト３の先端部には樹脂部材１１を回転可能に支持するチャック部材３３が設けられており、当該チャック部材３３はスパウト３の外殻部材３１内にＯリング３２を介して固定されている。これにより、スパウト３の先端部と回転操作部１０との間にガタツキが生じることが効果的に防止されている。
【００６９】
また、スパウト３の通水本体３４は、外殻部材３１の係合孔３１ｈに対して、２方向の弾性変形を順次に付与することで係合解除するスナップフィット部材３４ｓを有している。これにより、スパウト３の外殻部材３１がスパウト３の通水本体３４から不所望に抜け外れてしまうことが効果的に防止されている。
【００７０】
また、樹脂部材１１には、筒状部１２が接続されており、筒状部１２の外周面がチャック部材３３によって摺動可能に包囲されており、筒状部１２の内周面には、回転操作部１０の回転操作によってスパウト３に固定された板バネ３５と順次に係合可能な複数の係合凹部１２ｒが設けられている（図３参照）。これにより、板バネ３５が各係合凹部１２ｒと順次に係合することで、回転操作部１０の回転操作を行うユーザに「クリック感」を提供することができ、すなわち、操作性が向上する。更に、板バネ３５の弾性力（弾発力）は筒状部１２によって吸収されるため、チャック部材３３やスパウト３の外殻部材３１に変形等が生じる懸念もない。
【００７１】
なお、本実施形態では、切妻屋根状に屈曲された板バネ３５の屈曲部が各係合凹部１２ｒ内に順次に係合（嵌合）するようになっているが、異なる形態の弾性部材が採用された異なるタイプのクリック感提供機構が採用されてもよい。
【符号の説明】
【００７２】
１    吐水装置
２    支柱部
３    スパウト
３ａ  先端部
３ｂ  吐水部
４    シングルレバー
１０    回転操作部
１１    樹脂部材
１１ａ  爪部
１１ｆ  フランジ部
１１ｇ  回転摺動ガイド溝
１１ｐ  外周縁部
１２    筒状部
１２ａ  爪受容部
１２ｒ  係合凹部
１３    外殻部材
１４    スピンドル
１４ａ  縮径部
１４ｃ  切欠
１４ｆ  フランジ部
１４ｒ  カム凹部
１５    Ｏリング
２０    筒部
２１    流路
２２    一次側流路
２３    二次側流路
２４    領域
３１    外殻部材
３１ｈ  係合孔
３２    Ｏリング
３３    チャック部材
３３ａ  半円形状部分
３３ｂ  半円形状部分
３３ｆ  縮径部
３４    通水本体
３４ａ  開口
３４ｇ  回転摺動ガイド突起
３４ｐ  板バネ保持突起
３４ｓ  スナップフィット部材
３５    板バネ
３６    カバー部材
３７    Ｏリング
４０    切替弁
４１    貫通孔
４１ｃ  当接部
４２    筒部
４３    フランジ部
４５    弁体
４５ａ  Ｏリング
４７    コイルバネ
５１    シャワー流路形成部材
５１ａ  内側筒部
５１ｂ  外側筒部
５１ｃ  欠損部
５２    シャワーヘッド部
５２ａ  散水用流路
５２ｂ  整流通路
５３    水流案内部
５３ａ  環状路
５４    外殻部材
【図１】
2020051087.tif 000003
【図２】
2020051087.tif 000004
【図３】
2020051087.tif 000005
【図４】
2020051087.tif 000006
【図５】
2020051087.tif 000007
【図６】
2020051087.tif 000008
【図７】
2020051087.tif 000009
【図８】
2020051087.tif 000010
【図９】
2020051087.tif 000011
【図１０】
2020051087.tif 000012
【図１１】
2020051087.tif 000013
【図１２】
2020051087.tif 000014